(57)【特許請求の範囲】
【請求項１】
原稿読み取り部を固定し、原稿を移動させながら露光を行うことにより画像読み取りを行うシートスルー方式の原稿複写装置において、複数の原稿を積み重ねた状態で収容する収容手段と、上記収容手段に収容された原稿を給紙ベルトに当接させるための原稿持ち上げ部材と、上記収容手段に連結し上記収容された原稿を上記収容手段から順次送出する送出手段と、一端が上記送出手段に連結し上記送出手段から送出された原稿を画像読取部を通して原稿排出部に排出する搬送手段とを備え、原稿の給紙開始時に上記原稿持ち上げ部材を上昇させて上記収容手段内の原稿を順次送出させ、上記収容手段内の最終原稿の後端が上記送出手段を通過した時点で上記原稿持ち上げ部材を下降させることを特徴とする原稿給紙装置。
【発明の詳細な説明】
【０００１】
【発明の属する技術分野】
本発明は、原稿読み取り部を固定し、原稿を移動させながら露光を行うことにより画像読み取りを行うシートスルー方式の原稿複写装置に関し、特にその原稿読み取り部へ原稿を一枚ずつ順次給送するための原稿給紙装置に関する。
【０００２】
【従来の技術】
従来この種の原稿給紙装置には、収容手段内に積み重ねられた原稿を給紙ベルトに当接させるための原稿持ち上げ部材を備え、給紙時にこの原稿持ち上げ部材を上げて原稿を給紙ベルトに当接させ給紙させるものがある。特開平４−３５００３３号には、シート材積層板に積層したシート材を、所定圧で当接させた給送部材と分離部材からなる分離給送手段で１枚分離給送させ、その１枚分離給送されたシート材を該分離給送手段よりもシート材給送方向下流側の搬送手段で搬送させる給送装置において、シート材搬送後に分離給送手段の当接圧を解除し、シート材にバックテンションが掛からないようにしたものが開示されている。
【０００３】
【発明が解決しようとする課題】
上記原稿持ち上げ部材を上昇させて給紙ベルトに当接させ、給紙を行う方式では、最終原稿の後端が送出手段を通過した後は給紙ベルトと原稿持ち上げ部材との間で摩擦が生じ給紙ベルト及び原稿持ち上げ部材の当接する部分の寿命が低下するという問題があった。そこで本発明は、最終原稿の後端が送出手段を通過した時点で原稿持ち上げ部材を下降させることにより上記不具合を解決し、給紙ベルト及び原稿持ち上げ部材の当接部分の寿命を向上させることを目的とする。
【０００４】
【０００５】
【０００６】
【０００７】
【課題を解決するための手段】
本発明の原稿給紙装置のうち請求項１に係るものは、原稿読み取り部を固定し、原稿を移動させながら露光を行うことにより画像読み取りを行うシートスルー方式の原稿複写装置において、複数の原稿を積み重ねた状態で収容する収容手段と、上記収容手段に収容された原稿を給紙ベルトに当接させるための原稿持ち上げ部材と、上記収容手段に連結し上記収容された原稿を上記収容手段から順次送出する送出手段と、一端が上記送出手段に連結し上記送出手段から送出された原稿を画像読取部を通して原稿排出部に排出する搬送手段とを備え、原稿の給紙開始時に上記原稿持ち上げ部材を上昇させて上記収容手段内の原稿を順次送出させ、上記収容手段内の最終原稿の後端が上記送出手段を通過した時点で上記原稿持ち上げ部材を下降させることを特徴とする。
【０００８】
【０００９】
【００１０】
【００１１】
【発明の実施の形態】
以下、本発明の実施形態を図面に沿って説明する。図１は本発明の原稿給紙装置の一実施形態の概略側面図である。原稿積載台１にセットされた原稿２の先端は、図示しないソレノイドにより上昇される底板３により、給紙ベルト４に当接される。給紙ベルト４に底板３を当接させた状態で、原稿２は給紙ベルト４、分離コロ５により順次１枚ずつ給紙される。給紙ベルト４の下流には、給紙検知センサ６が設けられている。給紙検知センサ６は、原稿２が給紙部を通過したことを検知する。給紙部を通過した原稿２は搬送ローラ７を通り、画像読み取り部８によって画像が読み取られる。画像読み取り部８を通過した原稿２は、排紙ローラ９からトレイ１１上に排紙される。
【００１２】
搬送ローラ７と画像読み取り部８の間には、レジストセンサ１０が設けられている。レジストセンサ１０は、搬送原稿２の先端及び後端の通過を検知する。原稿の先端の通過及び後端の通過が検知されるとレジストセンサ１０は検知信号を出力し、この位置からの原稿進み量をローラ駆動源であるステッピングモータのパルス数をカウントすることにより計算し、原稿先端及び後端が画像読み取り部８に到達するタイミングを算出する。
【００１３】
上記構成において底板３は、給紙検知センサ６又はレジストセンサ１０からの検知信号に基づいて動作し、上昇又は下降する。すなわち、給紙検知センサ６又はレジストセンサ１０からの検知信号は、図示しない制御部に送られ、この制御部から底板３を動作させるソレノイドに上昇又は下降の命令を出力する。
【００１４】
以下、その動作タイミングの幾つかの態様を説明する。図２において、複写機からの給紙開始信号が発信されると、ソレノイドが駆動して底板３が上昇し、原稿載積台１上の原稿２は１枚ずつ給紙ベルト４によって給紙される。原稿載積台１上の最後の原稿が搬送されるまでは、底板３は上昇したままの状態を維持する。そして最終原稿２ａの後端が給紙センサ６を通過すると、給紙検知センサ６はこれを検知し、制御部に検知信号を出力する。検知信号を受けた制御部はソレノイドを下降駆動するよう命令を発信し、これに基づき底板３は下降する。このように原稿載積台１上の原稿がすべて搬送された後には、底板３が給紙ベルト４から引き離される。これによって底板３と給紙ベルト４とは直接接触することがなく、これらの摩擦による寿命の低下の問題を防ぐことができる。
【００１５】
参考として、図３は底板３の昇降の他のタイミングにおける実施形態を示している。上記実施形態と同様に、複写機からの給紙開始信号が発信されると、ソレノイドが駆動して底板３が上昇し、原稿載積台１上の原稿２は１枚ずつ給紙ベルト４によって給紙される。原稿載積台１上の最後の原稿が搬送されるまでは、底板３は上昇したままの状態を維持する。そして最終原稿２ａの後端が画像読み取り部８を通過するとレジストセンサ１０はこれを検知し、制御部に検知信号を出力する。検知信号を受けた制御部はソレノイドを下降駆動するよう命令を発信し、これに基づき底板３は下降する。上記実施形態のように、最終原稿２ａの画像読み取り中にソレノイドを動作させた場合、駆動系の負荷が減少することになり、画像ジターが発生しやすくなる。本実施形態においては、画像読み取り後にソレノイドが駆動されるので、このような問題が回避される。
【００１６】
参考として、図４及び図５は底板３の昇降の他のタイミングにおける実施形態を示している。複写機からの給紙開始信号により底板３が上昇し、原稿２が１枚給紙される。給紙された原稿２の先端が給紙センサ６を通過すると、検知信号が制御部に送られ、ソレノイドを駆動して底板３は下降する（図４参照）。これによって原稿２に掛かる底板３と給紙ベルト４によるバックテンションが解除され、原稿２はスムーズに給紙ベルト４及び搬送ローラ７により搬送される。次いで原稿２の後端が給紙センサ６を通過すると、給紙センサ６から検知信号が制御部に送られソレノイドを駆動させて、底板３は再度上昇する（図５参照）。これによって次の原稿の給紙が可能となる。次の原稿が存在しない場合は、底板３は下降したまま、最終原稿の読み取りが画像読み取り部８で行われトレイ１１に排紙される。
【００１７】
参考として、図６及び図７は底板３の昇降の他のタイミングにおける実施形態を示している。複写機からの給紙開始信号により底板３が上昇し、原稿２が１枚給紙される。給紙された原稿２の先端が給紙センサ６を通過すると、給紙センサ６はこれを検知し制御部へ検知信号を出力する（図６参照）。制御部は検知信号に基づいてソレノイドを駆動し底板３を下降させる。これによって原稿２に掛かる底板３と給紙ベルト４によるバックテンションが解除され、原稿２はスムーズに給紙ベルト４及び搬送ローラ７により搬送される。次いで原稿２の後端が画像読み取り部８を通過すると、レジストセンサ１０から検知信号が制御部に送られソレノイドを駆動させて、底板３は再度上昇する（図７参照）。これによって次の原稿の給紙が可能となる。次の原稿が存在しない場合は、底板３は下降したまま、最終原稿の排紙を行う。上記タイミングにおいては、原稿２の読み取りが終了してから底板３を上昇させているため、原稿の読み取り中に駆動系の負荷変動が無く、また底板上昇による振動も発生しないので、画像ジターの発生を防止できる。上記構成においては、給紙の間隔が上記実施形態の場合よりも広くなるため、一定時間内に給紙できる原稿の枚数が少なくなる。しかし、原稿２の画像読み取りが終了してから次原稿の読み取り開始までの間の駆動速度を増加させる等の方法によりこれを解決策することができる。
【００１８】
【発明の効果】
請求項１の原稿給紙装置は以上説明してきたように、最終原稿の後端が送出手段を通過した時点で原稿持ち上げ部材を下降させるので、給紙ベルト及び原稿持ち上げ部材の当接部分の寿命を向上させることができるという効果がある。
【００１９】
【００２０】
【００２１】
【図面の簡単な説明】
【図１】本発明の原稿給紙装置の一実施形態の概略側面図である。
【図２】原稿持ち上げ部材の昇降のタイミングを示す側面図である。
【図３】原稿持ち上げ部材の昇降の他のタイミングにおける実施形態を示す側面図である。
【図４】原稿持ち上げ部材の昇降の他のタイミングにおける実施形態を示す側面図である。
【図５】図４の動作に連続する動作を示す側面図である。
【図６】原稿持ち上げ部材の昇降の他のタイミングにおける実施形態を示す側面図である。
【図７】図６の動作に連続する動作を示す側面図である。
【符号の説明】
１            原稿積載台
２            原稿
３            底板
４            給紙ベルト
５            分離コロ
６            給紙検知センサ
７            搬送ローラ
８            画像読み取り部
９            排紙ローラ
１０        レジストセンサ
【図１】
0003544049.tif 000002
【図２】
0003544049.tif 000003
【図３】
0003544049.tif 000004
【図４】
0003544049.tif 000005
【図５】
0003544049.tif 000006
【図６】
0003544049.tif 000007
【図７】
0003544049.tif 000008